(57)【要約】【課題】特定の管理者のみが操作部の入力操作を行うこと。【解決手段】装置本体１より露出した状態で設置され、貨幣を入金する開口である入金口１２と貨幣を出金するための開口である出金口１４とを有する接客部１０を備えた金銭処理装置において、接客部１０は、装置本体１とのロック状態が解除された場合に、装置本体１に対して近接離反する態様で変位可能に設けられており、接客部１０が装置本体１に対して離隔した場合に露出する個所に設置された操作ボタン１８を備えている。また、操作ボタン１８にて入力操作が行われた場合に、接客部１０が装置本体１とロック状態になることを契機として、入力操作に対応する動作を行う制御部３０を備えていることが好ましい。【選択図】図５
2020017062.tif 000002
【特許請求の範囲】
【請求項１】
装置本体より露出した状態で設置され、貨幣を入金する開口である入金口と貨幣を出金するための開口である出金口とを有する接客部を備えた金銭処理装置において、
前記接客部は、前記装置本体とのロック状態が解除された場合に、該装置本体に対して近接離反する態様で変位可能に設けられており、
前記接客部が前記装置本体に対して離隔した場合に露出する個所に設置された操作部を備えたことを特徴とする金銭処理装置。
【請求項２】
前記操作部にて入力操作が行われた場合に、前記接客部が前記装置本体とロック状態になることを契機として、前記入力操作に対応する動作を行う制御手段を備えたことを特徴とする請求項１に記載の金銭処理装置。
【請求項３】
前記接客部は、任意の個所に設けられた鍵孔に所定の鍵が挿入されて操作されることにより、前記装置本体に対して近接離反する態様でスライド可能に設けられていることを特徴とする請求項１又は請求項２に記載の金銭処理装置。
【請求項４】
前記制御手段は、前記操作部にて入力操作が行われた場合に、前記接客部が前記装置本体とロック状態になり、かつ所定の電源ボタンが押下操作されることにより、前記入力操作に対応する動作を行うことを特徴とする請求項２に記載の金銭処理装置。
【請求項５】
前記制御手段が行う動作は、金銭を収納する各収納庫から金銭を出金させる回収動作であることを特徴とする請求項２又は請求項４に記載の金銭処理装置。
【発明の詳細な説明】
【技術分野】
【０００１】
本発明は、金銭処理装置に関するものである。
【背景技術】
【０００２】
従来、金銭処理装置として特許文献１に提案されている。この特許文献１に提案された金銭処理装置では、装置本体より前方に露出した状態で接客部が設けられている。接客部は、硬貨を入金する開口である入金口、硬貨を出金するための開口である出金口、並びに各種表示を行う表示部が設けられている。
【０００３】
このような金銭処理装置は、入金口を通じて入金された硬貨を金種別に収納するとともに、出金指令が与えられた場合に収納する硬貨を釣銭として出金口から払い出している。
【先行技術文献】
【特許文献】
【０００４】
【特許文献１】特開２０１５−１０２９２６号公報
【発明の概要】
【発明が解決しようとする課題】
【０００５】
ところで、上述した金銭処理装置は、例えばスーパーマーケットやコンビニエンスストア等の店舗において、釣銭機としてＰＯＳ（Point  Of  Sales）レジスタに接続されて使用されるものであり、接客部に各種の操作入力を行うための操作部が設けられているのが一般的である。
【０００６】
そこで、かかるＰＯＳレジスタを店舗の顧客等が操作する場合には、顧客等が誤って操作部を操作してしまうことが考えられ、好ましくない。
【０００７】
本発明は、上記実情に鑑みて、特定の管理者のみが操作部の入力操作を行うことができる金銭処理装置を提供することを目的とする。
【課題を解決するための手段】
【０００８】
上記目的を達成するために、本発明に係る金銭処理装置は、装置本体より露出した状態で設置され、貨幣を入金する開口である入金口と貨幣を出金するための開口である出金口とを有する接客部を備えた金銭処理装置において、前記接客部は、前記装置本体とのロック状態が解除された場合に、該装置本体に対して近接離反する態様で変位可能に設けられており、前記接客部が前記装置本体に対して離隔した場合に露出する個所に設置された操作部を備えたことを特徴とする。
【０００９】
また本発明は、上記金銭処理装置において、前記操作部にて入力操作が行われた場合に、前記接客部が前記装置本体とロック状態になることを契機として、前記入力操作に対応する動作を行う制御手段を備えたことを特徴とする。
【００１０】
また本発明は、上記金銭処理装置において、前記接客部は、任意の個所に設けられた鍵孔に所定の鍵が挿入されて操作されることにより、前記装置本体に対して近接離反する態様でスライド可能に設けられていることを特徴とする。
【００１１】
また本発明は、上記金銭処理装置において、前記制御手段は、前記操作部にて入力操作が行われた場合に、前記接客部が前記装置本体とロック状態になり、かつ所定の電源ボタンが押下操作されることにより、前記入力操作に対応する動作を行うことを特徴とする。
【００１２】
また本発明は、上記金銭処理装置において、前記制御手段が行う動作は、金銭を収納する各収納庫から金銭を出金させる回収動作であることを特徴とする。
【発明の効果】
【００１３】
本発明によれば、接客部が、装置本体とのロック状態が解除された場合に、該装置本体に対して近接離反する態様で変位可能に設けられており、操作部が、接客部が装置本体に対して離隔した場合に露出する個所に設置されているので、特定の管理者のみが操作部の入力操作を行うことができるという効果を奏する。
【図面の簡単な説明】
【００１４】
【図１】図１は、本発明の実施の形態である金銭処理装置を示す斜視図である。
【図２】図２は、図１に示した金銭処理装置の要部を拡大して示す斜視図である。
【図３】図３は、接客部が装置本体に近接した状態を示す説明図である。
【図４】図４は、接客部が装置本体から離隔した状態を示す説明図である。
【図５】図５は、図１に示した金銭処理装置の特徴的な制御系を模式的に示す模式図である。
【図６】図６は、装置本体から離隔する方向にスライドした接客部を示す斜視図である。
【図７】図７は、図５に示した制御部が実施する回収動作処理の処理内容を示すフローチャートである。
【発明を実施するための形態】
【００１５】
以下に添付図面を参照して、本発明に係る金銭処理装置の好適な実施の形態について詳細に説明する。
【００１６】
図１は、本発明の実施の形態である金銭処理装置を示す斜視図である。ここで例示する金銭処理装置は、例えばスーパーマーケットやコンビニエンスストア等の店舗において、硬貨処理装置としてＰＯＳ（Point  Of  Sales）レジスタに接続されて適用されるもので、装置本体１から露出する態様で接客部１０が設置してある。
【００１７】
接客部１０は、図２にも示すように、入金口１２及び出金口１４を備えている。入金口１２は、硬貨を入金するための開口である。出金口１４は、硬貨を出金するための開口である。
【００１８】
上記装置本体１は、前面が開口した筐体である。この装置本体１の内部には、図には明示しない分離部、検銭部及び硬貨搬送部が設置されるとともに、収納庫２４（図５参照）及び出金搬送部２６（図５参照）が設置されている。
【００１９】
分離部は、入金口１２を通じて入金された硬貨を１枚ずつ分離させた状態で供給するものである。検銭部は、分離部から供給された硬貨の真偽及び金種を鑑別し、正貨を硬貨搬送部に供給するものである。硬貨搬送部は、検銭部から供給された硬貨（正貨）を搬送経路に沿って搬送し、金種毎に振り分けて収納庫２４に供給するものである。
【００２０】
収納庫２４は、金種毎に設けてあり、それぞれ決められた種類の硬貨を収納するものである。これら収納庫２４には、払出機構が内蔵されている。払出機構は、駆動源である払出モータ２４ａ（図５参照）が駆動することにより、収納庫２４に収納される硬貨を出金搬送部２６に払い出すものである。
【００２１】
出金搬送部２６は、駆動源である搬送モータ２６ａ（図５参照）が駆動することにより、収納庫２４から払い出された硬貨を出金口１４に向けて搬送するものである。
【００２２】
上記接客部１０の前面には錠前１６が設けてある。かかる錠前１６には、鍵孔１６ａが形成してあり、例えば店舗の管理者が保持する所定の鍵Ｋが該鍵孔１６ａに挿入されて回動操作されることで、装置本体１に対する接客部１０のロックを解除する入力手段である。
【００２３】
接客部１０は、ロックが解除された場合、図３に示すように装置本体１に近接した状態から、図４に示すように装置本体１から離隔した状態にスライド可能である。つまり、接客部１０は、装置本体１に対して近接離反する態様でスライド可能に設置されており、常態においては、装置本体１に接続した状態で該装置本体１にロックされている。
【００２４】
図５は、図１に示した金銭処理装置の特徴的な制御系を模式的に示す模式図である。この図５に示すように、金銭処理装置は、操作ボタン１８、電源ボタン２０、検知部２２及び制御部３０を備えている。
【００２５】
操作ボタン１８は、接客部１０を装置本体１から離隔させた場合において、図６に示すように、露出する個所に設置されている。この操作ボタン１８は、押下操作された場合に、内蔵するスイッチが押下されて制御部３０に対して回収動作を行う旨の指令信号を送出する操作部である。
【００２６】
電源ボタン２０は、接客部１０若しくは装置本体１に設置されている。この電源ボタン２０は、押下操作された場合に、内蔵するスイッチが押下されて制御部３０に対して信号を送出するものである。
【００２７】
検知部２２は、接客部１０が装置本体１とロック状態にあるか否かを検知するものである。かかる検知部２２は、検知結果を検知信号として制御部３０に送出するものである。
【００２８】
制御部３０は、メモリ４０に記憶されたプログラムやデータに従って金銭処理装置の動作を統括的に制御する制御手段であり、入力処理部３１、判定処理部３２及び出力処理部３３を備えている。
【００２９】
尚、制御部３０は、例えば、ＣＰＵ（Central  Processing  Unit）等の処理装置にプログラムを実行させること、すなわち、ソフトウェアにより実現してもよいし、ＩＣ（Integrated  Circuit）等のハードウェアにより実現してもよいし、ソフトウェア及びハードウェアを併用して実現してもよい。
【００３０】
入力処理部３１は、操作ボタン１８から与えられる指令信号、電源ボタン２０から与えられる信号、検知部２２から与えられる検知信号を入力するものである。
【００３１】
判定処理部３２は、入力処理部３１を通じて各信号を入力した場合に、回収動作を行えるか否かの判定を行うものである。出力処理部３３は、各収納庫２４の払出モータ２４ａ、並びに出金搬送部２６の搬送モータ２６ａに対して、駆動指令又は駆動停止指令を送出するものである。
【００３２】
図７は、図５に示した制御部３０が実施する回収動作処理の処理内容を示すフローチャートである。かかる回収動作処理の説明の前提として、接客部１０が装置本体１から離隔する方向にスライドしているものとする。
【００３３】
この回収動作処理において制御部３０は、入力処理部３１を通じて指令信号を入力したか否か、すなわち操作ボタン１８が押下操作されたか否かを判断する（ステップＳ１０１）。操作ボタン１８が押下操作されていないと判断した場合（ステップＳ１０１：Ｎｏ）、制御部３０は、当該処理を繰り返す。
【００３４】
操作ボタン１８が押下操作されたと判断した場合（ステップＳ１０１：Ｙｅｓ）、制御部３０は、入力処理部３１を通じて、検知部２２により接客部１０が装置本体１とロック状態になった旨の検知信号を入力したか否かを判断する（ステップＳ１０２）。接客部１０が装置本体１とロック状態になった旨の検知信号の入力を判断できない場合（ステップＳ１０２：Ｎｏ）、制御部３０は、当該処理を繰り返す。
【００３５】
接客部１０が装置本体１とロック状態になった旨の検知信号の入力があったことを判断した場合（ステップＳ１０２：Ｙｅｓ）、制御部３０は、入力処理部３１を通じて電源ボタン２０からの信号を入力したか否か、すなわち電源ボタン２０が押下操作されたか否かを判断する（ステップＳ１０３）。尚、ここでの電源ボタン２０の押下操作であるが、１回だけに限られず、予め決められた回数行われるものであってもよい。
【００３６】
電源ボタン２０が押下操作されていないと判断した場合（ステップＳ１０３：Ｎｏ）、制御部３０は、当該処理を繰り返す。電源ボタン２０が押下操作されたと判断した場合（ステップＳ１０３：Ｙｅｓ）、制御部３０は、判定処理部３２を通じて回収動作が行えると判定して、出力処理部３３を通じて払出モータ２４ａ及び搬送モータ２６ａに駆動指令を送出する（ステップＳ１０４）。これにより、各収納庫２４に収納された硬貨が出金搬送部２６に払い出され、該硬貨が出金搬送部２６により出金口１４まで搬送される。
【００３７】
その後、制御部３０は、払出モータ２４ａ及び搬送モータ２６ａの駆動による収納庫２４の硬貨の出金が完了したか否かを判断する（ステップＳ１０５）。出金が完了していない場合（ステップＳ１０５，Ｎｏ）には、制御部３０は、各収納庫２４に収納された硬貨の払い出しと、払い出された硬貨の出金口１４への搬送とを続行する。
【００３８】
一方、出金が完了した場合（ステップＳ１０５，Ｙｅｓ）には、制御部３０は、出力処理部３３を通じて、払出モータ２４ａ及び搬送モータ２６ａに駆動停止指令を送出して（ステップＳ１０６）、その後に手順をリターンして今回の回収動作処理を終了する。これによれば、各収納庫２４に収納された硬貨を出金口１４まで良好に出金させることができる。
【００３９】
以上説明したように、本発明の実施の形態である金銭処理装置によれば、接客部１０が、前面に設けられた鍵孔１６ａに所定の鍵Ｋが挿入されて操作されることにより、装置本体１に対して近接離反する態様でスライド可能に設けられており、操作ボタン１８が接客部１０が装置本体１に対して離隔する方向にスライドした場合に露出する個所に設置されているので、特定の管理者のみが操作部の入力操作を行うことができる。
【００４０】
しかも、制御部３０が、操作ボタン１８の押下操作が行われた場合に、接客部１０が装置本体１とロック状態になることを契機として、回収動作を行うので、各収納庫２４に収納された硬貨を出金口１４まで良好に出金させることができ、接客部１０が装置本体１から離隔していてはできない動作を良好に行うことができる。
【００４１】
また上記金銭処理装置によれば、制御部３０は、検知部２２を通じて接客部１０が装置本体１とロック状態になることが検知されただけでなく、電源ボタン２０が押下操作されることにより回収動作を行っていたので、回収動作を特定の管理者による任意のタイミングで開始させることができ、利便性の向上を図ることができる。
【００４２】
以上、本発明の好適な実施の形態について説明したが、本発明はこれに限定されるものではなく、種々の変更を行うことができる。
【００４３】
上述した実施の形態では、操作ボタン１８が、押下操作された場合に回収動作を行う旨の指令信号を送出するものであったが、本発明においては、操作部は、回収動作に限られず、収納庫に収納された貨幣の数、並びに合計金額を算出する精算動作であってもよい。また操作部は、押ボタン構造である必要はない。
【００４４】
上述した実施の形態では、電源ボタン２０が押下操作されることを回収動作の開始タイミングとしていたが、本発明においては、接客部が装置本体とロック状態となるタイミングで回収動作等の所定の動作を開始してもよいし、電源ボタン以外の入力部の入力操作が行われるタイミングで所定の動作を開始してもよい。
【００４５】
上述した実施の形態では、接客部１０の前面の鍵孔１６ａに、例えば店舗の管理者が保持する所定の鍵Ｋが挿入されて回動操作されることで、装置本体１に対する接客部１０のロックを解除するようにしていたが、本発明においては、ＰＯＳレジスタ等の上位機器からの指令に基づいて装置本体に対する接客部のロックを解除してもよいし、所定の入力操作を行うことにより装置本体に対する接客部のロックを解除するようにしてもよい。
【００４６】
上述した実施の形態では、接客部１０が装置本体１とのロックが解除された場合に、該装置本体１に対して近接離反する態様でスライド可能であったが、本発明においては、接客部が装置本体に対して近接離反する態様で変位可能であれば、スライドしなくてもよい。
【００４７】
上述した実施の形態では、硬貨の入出金を行う硬貨処理装置を金銭処理装置の一例として例示したが、本発明においては、金銭処理装置は、紙幣の入出金を行う紙幣処理装置であってもよい。
【符号の説明】
【００４８】
１  装置本体
１０  接客部
１２  入金口
１４  出金口
１８  操作ボタン
２０  電源ボタン
２２  検知部
２４  収納庫
２６  出金搬送部
３０  制御部
３１  入力処理部
３２  判定処理部
３３  出力処理部
４０  メモリ
【図１】
2020017062.tif 000003
【図２】
2020017062.tif 000004
【図３】
2020017062.tif 000005
【図４】
2020017062.tif 000006
【図５】
2020017062.tif 000007
【図６】
2020017062.tif 000008
【図７】
2020017062.tif 000009